(57)【要約】【課題】波長分散光の生成を容易に精度よく、かつ高速に制御することができる波長分散型の任意偏光発生装置を提供する。【解決手段】波長切り替え手段１０と、直線偏光子２０と、直線偏光光２０の光路に対して垂直な面内で回動可能に支持された波長板３０と、波長板３０を回動駆動し、連続回転モータ４４と、連続回転モータ４４の回転駆動を色フィルタ１４，１６，１８の切り替えタイミングと同期して波長板３０の回動動作に変換するカム機構４２とをもつ波長板駆動部４０を備え、カム機構４２が、各色フィルタ１４，１６，１８に対応して波長板３０の回動角度をそれぞれ一定期間固定する多段階の角度切り替え機能を有するようにした。【選択図】図１
2007093913.tif 000002
【特許請求の範囲】
【請求項１】
波長に応じて任意の方向の偏光光を発生する波長分散型の任意偏光発生装置であって、
光源から発せられた無偏光光又は円偏光光を任意の波長に切り替えた色フィルタに透過させて出力光の波長を切り替える波長切り替え手段と、
前記波長切り替え手段からの出力光を直線偏光光にする直線偏光子と、
前記直線偏光光の光路に対して垂直な面内で回動可能に支持された波長板と、
前記波長板を回動駆動する波長板駆動部と、を備え、
前記波長板駆動部が、連続回転モータと、該連続回転モータの回転駆動を前記色フィルタの切り替えタイミングと同期して前記波長板の回動動作に変換するカム機構とを有し、
前記カム機構が、前記色フィルタに対応して前記波長板の回動角度をそれぞれ一定期間固定する多段階の角度切り替え機能を有することを特徴とする波長分散型の任意偏光発生装置。
【請求項２】
前記カム機構が、前記波長板に接続され前記光路の垂直面内で前記波長板から突出する突片と、
該突片の一部に配設されたフォロアと、
前記連続回転モータの駆動力を受けて回転駆動され前記フォロアに接触して前記突片を押圧する回転カム部材と、を有することを特徴とする請求項１記載の波長分散型の任意偏光発生装置。
【請求項３】
前記カム機構が前記色フィルタの数に対応して複数具備され、前記回転カム部材の前記フォロアに接触するタイミングをそれぞれ異ならせて配置されていることを特徴とする請求項２記載の波長分散型の任意偏光発生装置。
【請求項４】
前記回転カム部材が、前記フォロアとの接触周面を円弧部とする扇型に形成されていることを特徴とする請求項３記載の波長分散型の任意偏光発生装置。
【請求項５】
前記突片は、前記波長板を中心とする一回転方向に向けて付勢する付勢手段を備え、前記回転カム部材が、前記付勢手段に抗して前記フォロアに接触して前記突片を前記一回転方向とは逆方向に押圧することを特徴とする請求項２〜請求項４のいずれか１項記載の波長分散型の任意偏光発生装置。
【請求項６】
前記フォロアを前記波長板から放射方向に移動させることで、前記回転カム部材との当接位置を変更し、該波長板の回転角度を変更する波長板回転角度調整手段を有することを特徴とする請求項２〜請求項５のいずれか１項記載の波長分散型の任意偏光発生装置。
【請求項７】
前記波長板のリタデーション値が、前記直線偏光光の波長の１／４に設定されていることを特徴とする請求項１〜請求項６のいずれか１項記載の波長分散型の任意偏光発生装置。
【請求項８】
前記波長板駆動部が、前記回転カム部材を１／３０〜１／１００［秒／回転］の速度で回転駆動することを特徴とする請求項１〜請求項７のいずれか１項記載の波長分散型の任意偏光発生装置。
【発明の詳細な説明】
【技術分野】
【０００１】
本発明は、波長に応じて任意の偏光光を発生する波長分散型の任意偏光発生装置に関する。
【背景技術】
【０００２】
位相差フィルム等の異方性の特性を持つサンプルに対し、その色、輝度等を観察評価する場合、照明光となるバックライトの複屈折の波長分散特性が変化することによって、サンプルの色、輝度がその影響を受けて変化する。これを利用して、照明光の複屈折の波長分散特性を、実際の使用条件下の光の特性に合わせることにより、疑似的に実際の使用条件に合った色や輝度等の観察評価を行うことができる。例えば、種々の特性を有する液晶パネルに対し、実際の液晶パネルを用いることなく、位相差フィルムの評価を行うことができる。
従来、照明光の波長分散特性を任意に制御するものとして、例えば特許文献１に記載のものがある。この波長分散の制御としては、図９に示すように、光源５００からの光を反射ミラー５０１，５０２，５０３により色毎にそれぞれ異なる光路に分岐させ、シリンドリカルレンズ５０４，５０５，５０６を介して液晶パネル５０７，５０８，５０９に入光させて各色各々を独立に複屈折変調してから反射ミラー５１０，５１１，５１２を介して合成するものである。
【特許文献１】特開２００１−２５５２０８号公報
【発明の開示】
【発明が解決しようとする課題】
【０００３】
しかしながら、上記特許文献１の方法では、僅か３色の光路だけでも光学系が複雑となり、偏光を生成する装置が大型になると共に、コストが増大する。さらに、その光学調整等のメンテナンスも多大な労力が要される。また、波長分散の制御を細かに行う場合に、色、或いは特定波長範囲の設定数だけ光学光路を設ける必要があり、出力光を得るまでの光学系が一層複雑となる不利があった。
この他にも、複数色のカラーフィルタと偏光板とを同期させながら移動制御し、時間的な変調を行う方式があるが、実際に上記各光学素子の位置や角度を高速に制御して波長分散の光を高精度に発生することは、機構上容易ではなかった。
【０００４】
本発明は上記状況に鑑みてなされたもので、波長分散光の生成を容易に精度よく、かつ高速に制御することができる波長分散型の任意偏光発生装置を提供することを目的としている。
【課題を解決するための手段】
【０００５】
本発明の上記目的は、下記構成により達成される。
（１）  波長に応じて任意の方向の偏光光を発生する波長分散型の任意偏光発生装置であって、光源から発せられた無偏光光又は円偏光光を任意の波長に切り替えた色フィルタに透過させて出力光の波長を切り替える波長切り替え手段と、前記波長切り替え手段からの出力光を直線偏光光にする直線偏光子と、前記直線偏光光の光路に対して垂直な面内で回動可能に支持された波長板と、前記波長板を回動駆動する波長板駆動部と、を備え、前記波長板駆動部が、連続回転モータと、該連続回転モータの回転駆動を前記色フィルタの切り替えタイミングと同期して前記波長板の回動動作に変換するカム機構とを有し、前記カム機構が、前記色フィルタに対応して前記波長板の回動角度をそれぞれ一定期間固定する多段階の角度切り替え機能を有することを特徴とする波長分散型の任意偏光発生装置。
【０００６】
この波長分散型の任意偏光発生装置によれば、一つの色フィルタからの透過光を、その波長に応じて偏光を切り替える際、波長板を所定の回転位置に回動することを連続回転モータを用いたカム機構により行うことで、簡単な構成でありながら高速な切り替えが行えるようになる。これにより、波長毎に異なる種類の波長板を用いることなく、光学系が簡略化される。また、波長に応じた多段階の角度切り替え機能を有し、色フィルタの切り替えに伴う波長板のリタデーション値の変更をカム機構により実現することで、確実な同期タイミングで切り替えが可能となり、また、高速切り替えも可能となる。
【０００７】
（２）  前記カム機構が、前記波長板に接続され前記光路の垂直面内で前記波長板から突出する突片と、該突片の一部に配設されたフォロアと、前記連続回転モータの駆動力を受けて回転駆動され前記フォロアに接触して前記突片を押圧する回転カム部材と、を有することを特徴とする（１）記載の波長分散型の任意偏光発生装置。
【０００８】
この波長分散型の任意偏光発生装置によれば、連続回転モータにより回転カム部材がフォロアに接触して突片を押圧することで、波長板の回動角度が変更される。これにより、連続回転モータが高速回転しても確実に波長板を所望の回動角度に設定することができる。
【０００９】
（３）  前記カム機構が前記色フィルタの数に対応して複数具備され、前記回転カム部材の前記フォロアに接触するタイミングをそれぞれ異ならせて配置されていることを特徴とする（２）記載の波長分散型の任意偏光発生装置。
【００１０】
この波長分散型の任意偏光発生装置によれば、色フィルタの数に対応してカム機構が複数具備されることで、異なる波長毎に異なる回動角度位置に波長板を設定することができる。
【００１１】
（４）  前記回転カム部材が、前記フォロアとの接触周面を円弧部とする扇型に形成されていることを特徴とする（３）記載の波長分散型の任意偏光発生装置。
【００１２】
この波長分散型の任意偏光発生装置によれば、回転カム部材が扇形に形成されることで、回転カム部材の全周にわたって接触面を有するものと比較して、加工が簡単になり、製造コストが低減される。
【００１３】
（５）  前記突片は、前記波長板を中心とする一回転方向に向けて付勢する付勢手段を備え、前記回転カム部材が、前記付勢手段に抗して前記フォロアに接触して前記突片を前記一回転方向とは逆方向に押圧することを特徴とする（２）〜（４）のいずれかに記載の波長分散型の任意偏光発生装置。
【００１４】
この波長分散型の任意偏光発生装置によれば、回転カム部材が突片を押圧する方向とは逆方向に突片を付勢することにより、波長板のがたつきを抑えて円滑な角度切り替えを行うことができる。
【００１５】
（６）  前記フォロアを前記波長板から放射方向に移動させることで、前記回転カム部材との当接位置を変更し、該波長板の回転角度を変更する波長板回転角度調整手段を有することを特徴とする（２）〜（５）のいずれかに記載の波長分散型の任意偏光発生装置。
【００１６】
この波長分散型の任意偏光発生装置によれば、フォロアの位置を変更することで、波長板の回転角度を簡単に変更することができる。
【００１７】
（７）  前記波長板のリタデーション値が、前記直線偏光光の波長の１／４に設定されていることを特徴とする（１）〜（６）のいずれかに記載の波長分散型の任意偏光発生装置。
【００１８】
この波長分散型の任意偏光発生装置によれば、直線偏光子からの直接偏光光を円偏光光に変換し、その位相差が９０°（π／２）となる。
【００１９】
（８）  前記波長板駆動部が、前記回転カム部材を１／３０〜１／１００［秒／回転］の速度で回転駆動することを特徴とする（１）〜（７）のいずれかに記載の波長分散型の任意偏光発生装置。
【００２０】
この波長分散型の任意偏光発生装置によれば、回転カム部材が１／３０〜１／１００［秒／回転］の高速で回転駆動することで、色フィルタに確実に同期させることができるとともに、評価試験の時間を短縮させることができる。
【発明の効果】
【００２１】
本発明の波長分散型の任意偏光発生装置によれば、波長板駆動部が、連続回転モータと、連続回転モータの回転駆動を色フィルタの切り替えタイミングと同期して波長板の回動動作に変換するカム機構とを有し、カム機構が、各色フィルタに対応して波長板の回動角度をそれぞれ一定期間固定する多段階の角度切り替え機能を有することで、任意な波長分散の光を、波長毎に適切な方向に偏光させた光をちらつきの少ない状態で出力することができる。
【発明を実施するための最良の形態】
【００２２】
以下、本発明に係る波長分散型の任意偏光発生装置の好適な実施の形態について図面を参照して説明する。
図１は、本発明の実施形態を説明するための波長分散型の任意偏光発生装置を示す概略図である。
波長分散型の任意偏光発生装置１００は、光源１と、波長切り替え手段１０と、直線偏光子２０と、波長板３０と、波長板駆動部４０と、駆動制御部９０と、を備える。
【００２３】
光源１は、無偏光又は円偏光を発生する白色光源を用いることができる。また、楕円偏光や直線偏光等を発生する光源であっても良い。その場合は、これらの光を無偏光化又は円偏光化するための素子を介装することで、無偏光又は円偏光が得られる。光源１としては、例えば、ハロゲンファイバー照明装置（シグマ光機製ＰＨＬ−１５０）を用いることができる。
【００２４】
波長切り替え手段１０は、光源１から発せられた無偏光光又は円偏光光を任意の波長に切り替えた色フィルタ（ここでは一例として複数の色フィルタ）のうちいずれかに透過させて出力光の波長を切り替えるものである。その一例としての構造は、光路Ｓに対して垂直に配設された回転板１２に、中心波長が６４４ｎｍの赤色（Ｒ）の光を透過する色フィルタ１４と、中心波長が５５０ｎｍの緑色（Ｇ）の光を透過する色フィルタ１６と、中心波長が４４６ｎｍの青色（Ｂ）の光を透過する色フィルタ１８とが回転板１２の周方向に沿って配置されており、カラーフィルタ回転モータ１３によって回転板１２を回転駆動させる。これらの色フィルタ１４，１６，１８が色フィルタレイを構成している。色フィルタレイは、回転駆動されて各色フィルタを光が順次通過して出力された光が、白色光となるように分光を行うものである。色フィルタの数は、上記例ではＲＧＢの３種類であるが、これに限らず任意の数を設けることができる。カラーフィルタ回転モータ１３は、駆動制御部９０に電気的に接続されている。
なお、色フィルタは、上記例に限らず、電気的に波長を切り替える液晶チューナブルフィルターや超音波を使用した波長変換型フィルタ等を利用して構成することも考えられる。
【００２５】
直線偏光子２０は、波長切り替え手段１０からの出力光を直線偏光光にするもので、光路Ｓに対して垂直に配置される。
波長板３０は、直線偏光光２０の光路Ｓに対して垂直な面内に配置されている。そして、この波長板３０が波長板駆動部４０に接続されている。波長板３０はリタデーション値が直線偏光子２０からの直線偏光光の波長の１／４（λ／４）に設定されているために、直線偏光子２０からの直接偏光光を円偏光光に変換し、その位相差を９０°（π／２）とすることができる。波長板３０からの出力光が評価に用いられる。
【００２６】
波長板駆動部４０は、カム機構４２と、連続回転モータ４４と、から構成されており、カム機構４２が、３個の突片４６，４８，５０と、３個のフォロア５２，５４，５６と、３個の回転カム部材５８，６０，６２と、駆動ベルト６４と、を備える。この波長板駆動部４０が波長板３０の角度切り替え機能を有している。
【００２７】
突片４６，４８，５０は、それぞれの基端部が波長板３０に接続されており、光路Ｓの垂直面内で波長板３０から放射方向にそれぞれ突出している。
【００２８】
フォロア５２，５４，５６は、棒形状に形成されており、突片４６，４８，５０の予め定められた位置にそれぞれ配置されている。フォロア５２，５４，５６は、回転カム部材５８，６０，６２に摺接するために、必要に応じて軸受等を外嵌するようにしても良い。そうすれば、回転カム部材５８，６０，６２との接触時の摩擦を低減させることにより円滑な摺接を行うことができる。
【００２９】
回転カム部材５８，６０，６２は、フォロア５２，５４，５６との接触周面を円弧部とする扇型に形成されており、扇型の基部にプーリ６６，６８，７０が固定されている。回転カム部材５８，６７は、プーリ６６，７０が枢支軸７２，７４に同心に結合されている。回転カム部材５８，６０，６２は、扇形に形成されることで、全周にわたって接触面を有するものと比較して、加工が簡単になり、製造コストを低減することができる。
【００３０】
駆動ベルト６４は、無端状で、プーリ６６，６８，７０にそれぞれ架け渡されており、テンションプーリ７６によって張力を調整されている。
【００３１】
連続回転モータ４４は、既存のブラシモータやブラシレスモータであり、出力軸７８が回転カム部材６０のプーリ６８に同心に結合されている。連続回転モータ４４は、駆動制御部９０に電気的に接続されている。
【００３２】
駆動制御部９０は、カラーフィルタ回転モータ１３と連続回転モータ４４とに所定の電流を与えることで、波長切り替え手段１０の色フィルタ１４，１６，１８のそれぞれと、波長板３０の回動角度と、を同期させる制御を行う。
【００３３】
図２は、図１に示す波長分散型の任意偏光発生装置１００における波長板駆動部４０の側面図である。
回転カム部材５８，６０，６２は、それぞれ同一の半径ｒ１で、それぞれ同一の円弧部長さを有し、回転カム部材５８，６２のプーリ６６，７０に結合された枢軸７２，７４がプレート９６に回転自在に支持されている。回転カム部材６０のプーリ６８は、連続回転モータ４４がプレート９６に固定されていることで出力軸７８に支持されている。
【００３４】
突片４６，４８，５０の先端部には、それぞれ戻しばね８０Ａ，８０Ｂ，８０Ｃの一端部が係止されており、戻しばね８０Ａ，８０Ｂ，８０Ｃの他端部がプレート９６に係止されている。そのため、突片４６，４８，５０は、図２中の時計回転方向である回転カム部材５８，６０，６２側にそれぞれ付勢されている。
【００３５】
突片４６，４８，５０の長さ方向の中央部に、波長板回転角度調整手段を構成する長孔８２，８４，８６がそれぞれ形成されており、これら長孔８２，８４，８６を介してフォロア５２，５４，５６の波長板３０の中心からの距離を変更することができる。例えば、フォロア５２は距離Ｌ１で、フォロア５４は距離Ｌ２で、フォロア５６は距離Ｌ３である。なお、フォロア５２，５４，５６は、長孔８２，８４，８６を通じて突片４６，４８，５０に固定される。
【００３６】
波長板駆動部４０は、駆動制御部９０から与えられた所定の電流によって色フィルタ回転モータ１３に同期して連続回転モータ４４が駆動されることで出力軸７８が回転し、駆動ベルト６４を介してプーリ６６，６８，７０とともに回転カム部材５８，６０，６２が同一速度でもって反時計回転方向にそれぞれ回転する。そして、回転カム部材５８，６０，６２がフォロア５２，５４，５６にそれぞれ接触することで戻しばね８０Ａ，８０Ｂ，８０Ｃに抗して突片４６，４８，５０を停止保持する。戻しばね８０Ａ，８０Ｂ，８０Ｃは、回転カム部材５８，６０，６２が突片４８，４８，５０を押圧する方向とは逆方向に付勢することにより、波長板３０のがたつきを抑えて円滑な角度切り替えを行うことができる。波長板駆動部４０は、回転カム部材５８，６０，６２を１／３０〜１／１００［秒／回転］の速度で回転駆動させるために、色フィルタ１４，１６，１８に確実に同期を行って、評価試験の時間を短縮させることができる。また、連続回転モータ４４が高速回転しても波長板３０を所望の回動角度に確実に設定することができる。
【００３７】
図３は、図２に示す波長板駆動部４０における波長板回転角度調整手段の働きを説明する一部破断側面図である。
フォロア５２が波長板３０の中心から距離Ｌ１に設定されていると、戻しばね８０Ａに付勢されている突片４６は回転カム部材５８の回転に伴って位置Ａ１で回動保持される。これに対して、フォロア５２が長孔８２により波長板３０の中心から距離Ｌ１よりも短い距離Ｌ１−２に変更設定されることで、突片４６は回転カム部材５８の回転に伴って位置Ａ１−２で回動保持されるようになる。これにより、突片４６の停止保持位置をΔθだけ変位させることができる。この変位量を、異なる波長毎に波長板３０を異なる位置に回動させる動作に使うことができる。
【００３８】
次に、波長駆動部４０の具体的な動きについて説明する。
図４（ａ），（ｂ），（ｃ）は図２に示す波長板駆動部４０における具体的な動作を説明するそれぞれ側面図、図５は図２に示す波長板３０の回動を説明する側面図、図６は図１に示す波長分散型の任意偏光発生装置１００における波長板（λ／４板と記す）３０の時間を追った動きを説明するタイムチャートである。
【００３９】
図４（ａ），図５，図６に示すように、連続回転モータ４４の駆動により、回転カム部材５８，６０，６２が反時計回転方向にそれぞれ回転すると、時刻ｔ１において赤色（Ｒ）用の色フィルタ１４によって出力光の波長が切り替えられ、このタイミングに同期して回転カム部材５８がフォロア５２に摺接し始めるために突片４６が停止位置Ａ１で停止保持され、波長板３０がその位置で停止される。これにより、波長板３０は角度θｒの回動角度を設定されることで、中心波長が６４４ｎｍの赤色（Ｒ）用の位相差を設定することができる。回転カム部材５８はフォロア５２に摺接を続けながら回転し続け、その後にフォロア５２から外れるために、突片４６は戻しばね８０により戻り回動される。
【００４０】
図４（ｂ），図５，図６に示すように、時刻ｔ１の以後の時刻ｔ２において緑色（Ｇ）用の色フィルタ１６によって出力光の波長が切り替えられ、このタイミングに同期して回転カム部材６０がフォロア５４に摺接し始めるために突片４６が停止位置Ａ２で停止保持され、波長板３０がその位置で停止される。これにより、波長板３０は角度θｇの回動角度を設定されることで、中心波長が５５０ｎｍの緑色（Ｇ）用の位相差を設定することができる。回転カム部材６０はフォロア５４に摺接を続けながら回転し続け、その後にフォロア５４から外れるために、突片４６は戻しばね８０により戻り回動される。
【００４１】
図４（ｃ），図５，図６に示すように、時刻ｔ２の以後の時刻ｔ３において青色（Ｂ）用の色フィルタ１８によって出力光の波長が切り替えられ、このタイミングに同期して回転カム部材６２がフォロア５６に摺接し始めるために突片４６が停止位置Ａ３で停止保持され、波長板３０がその位置で停止される。これにより、波長板３０は角度θｂの回動角度を設定されることで、中心波長が４４６ｎｍの青色（Ｂ）用の位相差を設定することができる。回転カム部材６２はフォロア５６に摺接を続けながら回転し続け、その後にフォロア５６から外れるために、突片４６は戻しばね８０により戻り回動される。
【００４２】
このように、波長板３０は、回転カム部材５８，６０，６２が回転を続けることで、角度θｒと、角度θｇと、角度θｂの回動角度で段階的に繰り返し停止する。そして、時刻ｔ３の以後、時刻ｔ１，ｔ２，ｔ３の組み合わせと同様にして連続的に各位相差を設定し続ける。
【００４３】
図７は、図１に示す波長分散型の任意偏光発生装置１００における位相差と波長との関係を示すグラフである。
波長板３０は、色フィルタ１４，１６，１８に対応した赤色（Ｒ），緑色（Ｇ），青色（Ｂ）用の位相差を設定することができるが、波長板回転角度調整手段によって突片４６の停止保持位置を任意に変位させることができるために、例えば、赤色（Ｒ）に対する位相差を異なる位相差に設定することで、任意の位相差特性に変更することができる。
【００４４】
図８は、図１に示す波長分散型の任意偏光発生装置１００における回転カム部材の他の構成を示す単体側面図である。
この回転カム部材１２０では、基礎円半径ｒａのカムフォロア当接部１２４の領域とは他に、基礎円半径ｒａよりも小さい半径ｒｂとなってカムフォロアとは当接しない縮径部１２４を成形したものである。このようにすれば、回転カム部材１２０の全周面を一反半径ｒａに仕上げてから、余分な領域（縮径部１２４）を削り取ることで、回転カム部材１２０の製造プロセスを容易にでき、回転時に発生する振動を低減して円滑な運転を行うことができる。
【００４５】
以上説明したように、従前より、１つの位相差フィルムやλ／４板で複数波長に対応した位相差特性を持たせることは困難であるため、波長分散を考慮した任意の偏光を発生させる場合に、光源からの光に含まれるＲ光，Ｇ光，Ｂ光をそれぞれ別の光路に分離して、それぞれの光路上に、その光路を通る光の波長の１／４の位相差を与えるλ／４板を設置していた。しかし、本発明に係る波長分散型の任意偏光発生装置によれば、このような複雑な機構は不要となるため、小型化且つ低コスト化を実現することが可能となる。
【図面の簡単な説明】
【００４６】
【図１】本発明の実施形態を説明するための波長分散型の任意偏光発生装置を示す概略図である。
【図２】図１に示した波長分散型の任意偏光発生装置における波長板駆動部の側面図である。
【図３】図２に示した波長板駆動部における波長板回転角度調整手段の働きを説明する一部破断側面図である。
【図４】（ａ），（ｂ），（ｃ）は図２に示した波長板駆動部における具体的な動作を説明するそれぞれ側面図である。
【図５】図２に示した波長板の回動を説明する側面図である。
【図６】図１に示した波長分散型の任意偏光発生装置における波長板の時間を追った動きを説明するタイムチャートである。
【図７】図１に示した波長分散型の任意偏光発生装置における位相差と波長との関係を示すグラフである。
【図８】図１に示した波長分散型の任意偏光発生装置における回転カム部材の他の構成を示す単体側面図である。
【図９】従来の波長分散の制御における概略図である。
【符号の説明】
【００４７】
１  光源
１０  波長切り替え手段
１４，１６，１８  色フィルタ
２０  直線偏光子
３０  波長板
４０  波長板駆動部
４２  カム機構
４４  連続回転モータ
４６，４８，５０  突片
５２，５４，５６  フォロア
５８，６０，６２  回転カム部材
８０  戻しばね（付勢手段）
８２，８４，８６  長孔（波長板回転角度調整手段）
１００  波長分散型の任意偏光発生装置
【図１】
2007093913.tif 000003
【図２】
2007093913.tif 000004
【図３】
2007093913.tif 000005
【図４】
2007093913.tif 000006
【図５】
2007093913.tif 000007
【図６】
2007093913.tif 000008
【図７】
2007093913.tif 000009
【図８】
2007093913.tif 000010
【図９】
2007093913.tif 000011